(57)【要約】【課題】  レンズキャップの装着性を向上させる。【解決手段】  一対の可動部材５３ａ，５３ｂを互いに近接する方向に押圧することによって、一対の可動部材５３ａ，５３ｂをキャップ本体５２の中心部に向かってスライドさせるとき、キャップ本体５２に対して一対の可動部材５３ａ，５３ｂをレンズ部４に嵌め込まれる側へとシフトさせる。これにより、一対の可動部材５３ａ，５３ｂに対する押圧を解除したときには、キャップ本体５２がレンズ部４に嵌め込まれる側へとシフトし、キャップ本体５２とレンズ部４の前端部との間に隙間を生じさせることなく、レンズキャップ５０をレンズ部４に確実に装着することができる。【選択図】  図８
2005114874.tif 000002
【特許請求の範囲】
【請求項１】
レンズが臨むレンズ部の前面を覆うキャップ本体と、
上記レンズ部の内側に嵌め込まれた状態で上記レンズ部の内面に設けられた被係止部に係止される係止部を有し、上記キャップ本体の外周部において互いに対向する位置から当該キャップ本体の中心部に向かってスライド可能に取り付けられた一対の可動部材と、
上記一対の可動部材を互いに離間する方向に付勢する付勢手段と、
上記付勢手段の付勢に抗して上記一対の可動部材を互いに近接する方向に押圧することによって、上記一対の可動部材を上記キャップ本体の中心部に向かってスライドさせるとき、上記キャップ本体に対して上記一対の可動部材を上記レンズ部に嵌め込まれる側へとシフトさせるガイド手段とを備えるレンズキャップ。
【請求項２】
上記一対の可動部材を互いに近接する方向に押圧した状態で、上記一対の可動部材の係止部を上記レンズ部の内側に嵌め込んだ後に、上記一対の可動部材に対する押圧を解除することによって、上記係止部が上記被係止部に係止されると共に、上記キャップ本体が上記レンズ部に嵌め込まれる側へとシフトし、上記キャップ本体が上記レンズ部の前端部に当接されることを特徴とする請求項１記載のレンズキャップ。
【請求項３】
上記ガイド手段は、上記キャップ本体と上記一対の可動部材とのうち、少なくとも一方に設けられた傾斜突部を有し、
上記一対の可動部材は、上記傾斜突部により上記キャップ本体に対して上記レンズ部に嵌め込まれる側へとシフトしながら、上記キャップ本体の中心部に向かってスライドされることを特徴とする請求項１記載のレンズキャップ。
【請求項４】
上記ガイド手段は、上記キャップ本体と上記一対の可動部材とのうち、一方に設けられたガイドピンと、他方に設けられたガイドスリットとを有し、
上記一対の可動部材は、上記ガイドピンと上記ガイドスリットとの係合により上記キャップ本体に対して上記レンズ部に嵌め込まれる側へとシフトしながら、上記キャップ本体の中心部に向かってスライドされることを特徴とする請求項１記載のレンズキャップ。
【請求項５】
上記付勢手段は、上記一対の可動部材の間に圧縮された状態で保持された圧縮コイルバネであることを特徴とする請求項１記載のレンズキャップ。
【請求項６】
本体部と、
上記本体部の前面からレンズが臨むレンズ部と、
上記レンズ部に装着されるレンズキャップとを備え、
上記レンズキャップは、上記レンズ部の前面を覆うキャップ本体と、
上記レンズ部の内側に嵌め込まれた状態で上記レンズ部の内面に設けられた被係止部に係止される係止部を有し、上記キャップ本体の外周部において互いに対向する位置から当該キャップ本体の中心部に向かってスライド可能に取り付けられた一対の可動部材と、
上記一対の可動部材を互いに離間する方向に付勢する付勢手段と、
上記付勢手段の付勢に抗して上記一対の可動部材を互いに近接する方向に押圧することによって、上記一対の可動部材を上記キャップ本体の中心部に向かってスライドさせるとき、上記キャップ本体に対して上記一対の可動部材を上記レンズ部に嵌め込まれる側へとシフトさせるガイド手段とを有することを特徴とする撮像装置。
【請求項７】
上記レンズキャップは、上記一対の可動部材を互いに近接する方向に押圧した状態で、上記一対の可動部材の係止部を上記レンズ部の内側に嵌め込んだ後に、上記一対の可動部材に対する押圧を解除することによって、上記係止部が上記被係止部に係止されると共に、上記キャップ本体が上記レンズ部に嵌め込まれる側へとシフトし、上記キャップ本体が上記レンズ部の前端部に当接されることによって、上記レンズ部に装着されることを特徴とする請求項６記載の撮像装置。
【請求項８】
上記ガイド手段は、上記キャップ本体と上記一対の可動部材とのうち、少なくとも一方に設けられた傾斜突部を有し、
上記一対の可動部材は、上記傾斜突部により上記キャップ本体に対して上記レンズ部に嵌め込まれる側へとシフトしながら、上記キャップ本体の中心部に向かってスライドされることを特徴とする請求項６記載の撮像装置。
【請求項９】
上記ガイド手段は、上記キャップ本体と上記一対の可動部材とのうち、一方に設けられたガイドピンと、他方に設けられたガイドスリットとを有し、
上記一対の可動部材は、上記ガイドピンと上記ガイドスリットとの係合により上記キャップ本体に対して上記レンズ部に嵌め込まれる側へとシフトしながら、上記キャップ本体の中心部に向かってスライドされることを特徴とする請求項６記載の撮像装置。
【請求項１０】
上記付勢手段は、上記一対の可動部材の間に圧縮された状態で保持された圧縮コイルバネであることを特徴とする請求項６記載の撮像装置。
【発明の詳細な説明】
【技術分野】
【０００１】
本発明は、レンズを保護するレンズキャップ、並びにそのようなレンズキャップを備える撮像装置に関する。
【背景技術】
【０００２】
例えばデジタルスチルカメラやデジタルビデオカメラ等の撮像装置では、レンズが傷付いたり、レンズに塵埃等が付着したりすることがないように、不使用時に装置本体の前面に設けられたレンズ部にレンズキャップを装着することで、このレンズ部から臨むレンズを保護している。（例えば、特許文献１を参照。）。
【０００３】
例えば図１１，図１２及び図１３に示すレンズキャップ２００は、レンズ部３００の前面を覆う略円盤状のキャップ本体２０１と、このキャップ本体２０１の外周部において互いに対向する位置から当該キャップ本体２０１の中心部に向かってスライド可能に取り付けられた一対の可動部材２０２ａ，２０２ｂと、これら一対の可動部材２０２ａ，２０２ｂを互いに離間する方向に付勢する圧縮コイルバネ２０３とを備えている。
【０００４】
キャップ本体２０１は、一組のケース部材２０１ａとカバー部材２０１ｂとが組み合わされてなり、ケース部材２０１ａ側がレンズ部３００の内側に嵌め込まれる形状となっている。また、このキャップ本体２０１の外周部には、一対の可動部材２０２ａ，２０２ｂを外部に臨ませる一対の切欠き部２０４ａ，２０４ｂが形成されている。一方、一対の可動部材２０２ａ，２０２ｂは、抜止め用のフック部２０５を有しており、圧縮コイルバネ２０３によって互いに離間する方向に付勢された状態において、このフック部２０５がケース部材２０１ａの中央部分に設けられたストッパー部２０６に係止されることによって、一対の切欠き部２０４ａ，２０４ｂからの抜けが防止されている。また、一対の可動部材２０２ａ，２０２ｂは、圧縮コイルバネ２０３の両端部に挿通されるバネ受け突部２０７を有しており、これにより、圧縮コイルバネ２０３は、これら一対の可動部材２０２ａ，２０２ｂの間に圧縮された状態で保持されている。さらに、一対の可動部材２０２ａ，２０２ｂは、レンズ部３００の内側に嵌め込まれた状態において、このレンズ部３００の内面に形成されたネジ溝３０１に係止されるロック爪２０８と、このロック爪２０８とネジ溝３０１との係止状態を解除するための摘み部２０９とを有している。
【０００５】
以上のように構成されるレンズキャップ２００をレンズ部３００に装着する際は、先ず、図１４に示すように、摘み部２０９を指で摘んで操作し、一対の可動部材２０２ａ，２０２ｂを互いに近接する方向に押圧した状態で、キャップ本体２０１のケース部材２０１ａ側をレンズ部３００の内側に嵌め込む。次に、図１５に示すように、この状態から一対の可動部材２０２ａ，２０２ｂに対する押圧を解除することによって、一対の可動部材２０２ａ，２０２ｂのロック爪２０８がレンズ部３００のネジ溝３０１に係合された状態となる。これにより、レンズキャップ２００をレンズ部３００に装着することができる。
【０００６】
ところで、上述した従来のレンズキャップ２００では、図１４に示すように、摘み部２０９を指で摘んで操作した際に、キャップ本体２０１の中心部に向かってスライドする一対の可動部材２０２ａ，２０２ｂが、このキャップ本体２０１に対してレンズ部３００に嵌め込まれる側とは反対側に傾いた状態となる。
【０００７】
そして、この状態から、図１５に示すように、一対の可動部材２０２ａ，２０２ｂに対する押圧を解除すると、圧縮コイルバネ２０３の弾性復帰に伴い、一対の可動部材２０２ａ，２０２ｂのロック爪２０８がレンズ部３００のネジ溝３０１に係合されるものの、レンズ部３００に嵌め込まれる側とは反対側に傾いた一対の可動部材２０２ａ，２０２ｂの元の位置へと戻ろうとする反動によって、キャップ本体２０１がレンズ部３００に嵌め込まれる側とは反対側にシフトすることになる。
【０００８】
このため、従来のレンズキャップ２００では、本来、レンズ部３００の前面を覆うべきキャップ本体２０１と、このキャップ本体２０１が当接されるレンズ部３００の前端部との間に隙間Ｓが生じてしまい、レンズ部３００に確実に装着することができなくなるといった問題があった。また、撮像装置では、このような隙間Ｓから塵埃等が侵入することによって、レンズ３０２を適切に保護することができなくなるといった問題があった。
【０００９】
【特許文献１】特開２００３−８４３３２号公報
【発明の開示】
【発明が解決しようとする課題】
【００１０】
そこで、本発明は、このような従来の事情に鑑みて提案されたものであり、レンズ部に対する装着性を向上させ、レンズを確実に保護することを可能としたレンズキャップを提供することを目的とする。
【００１１】
また、本発明は、そのようなレンズキャップを備えることによって、レンズの保護及び更なる利便性の向上を可能とした撮像装置を提供することを目的とする。
【課題を解決するための手段】
【００１２】
この目的を達成するために、本発明に係るレンズキャップは、レンズが臨むレンズ部の前面を覆うキャップ本体と、レンズ部の内側に嵌め込まれた状態でレンズ部の内面に設けられた被係止部に係止される係止部を有し、キャップ本体の外周部において互いに対向する位置から当該キャップ本体の中心部に向かってスライド可能に取り付けられた一対の可動部材と、一対の可動部材を互いに離間する方向に付勢する付勢手段と、付勢手段の付勢に抗して一対の可動部材を互いに近接する方向に押圧することによって、一対の可動部材をキャップ本体の中心部に向かってスライドさせるとき、キャップ本体に対して一対の可動部材をレンズ部に嵌め込まれる側へとシフトさせるガイド手段とを備えることを特徴としている。
【００１３】
また、本発明に係る撮像装置は、本体部と、本体部の前面からレンズが臨むレンズ部と、レンズ部に装着されるレンズキャップとを備え、レンズキャップは、レンズ部の前面を覆うキャップ本体と、レンズ部の内側に嵌め込まれた状態でレンズ部の内面に設けられた被係止部に係止される係止部を有し、キャップ本体の外周部において互いに対向する位置から当該キャップ本体の中心部に向かってスライド可能に取り付けられた一対の可動部材と、一対の可動部材を互いに離間する方向に付勢する付勢手段と、付勢手段の付勢に抗して一対の可動部材を互いに近接する方向に押圧することによって、一対の可動部材をキャップ本体の中心部に向かってスライドさせるとき、キャップ本体に対して一対の可動部材をレンズ部に嵌め込まれる側へとシフトさせるガイド手段とを有することを特徴としている。
【発明の効果】
【００１４】
以上のように、本発明では、付勢手段の付勢に抗して一対の可動部材を互いに近接する方向に押圧し、一対の可動部材をキャップ本体の中心部に向かってスライドさせるとき、ガイド手段がキャップ本体に対して一対の可動部材をレンズ部に嵌め込まれる側へとシフトさせることから、この状態から一対の可動部材の係止部をレンズ部の内側に嵌め込んだ後に、一対の可動部材に対する押圧を解除することによって、係止部が被係止部に係止されると共に、キャップ本体がレンズ部に嵌め込まれる側へとシフトし、当該レンズ部の前端部に当接されることになる。
【００１５】
したがって、本発明によれば、従来と変わらない操作で、キャップ本体とレンズ部の前端部との間に隙間を生じさせることなく、レンズキャップをレンズ部に確実に装着することが可能であり、このレンズキャップとレンズ部との間から塵埃等が侵入することを防止し、レンズを適切に保護することが可能である。
【発明を実施するための最良の形態】
【００１６】
以下、本発明を適用したレンズキャップ及び撮像装置について、図面を参照しながら詳細に説明する。
【００１７】
先ず、本発明を適用したレンズキャップが装着される撮像装置について説明する。
【００１８】
本発明を適用した撮像装置は、例えば図１，図２及び図３に示すカメラ一体型デジタルビデオテープレコーダ（以下、デジタルビデオカメラという。）１である。
【００１９】
このデジタルビデオカメラ１は、全体略直方体状の本体部２を備え、この本体部２の前面には、撮像レンズ３を外部に臨ませるレンズ部４が設けられている。このレンズ部４は、前方に向かって略円筒状に突出形成されてなり、その内側に撮像レンズ３を保持している。
【００２０】
また、本体部２の内部には、この撮像レンズ３を含む光学系が内蔵されたレンズ鏡筒や、このレンズ鏡筒で結像された被写体の像を撮像するＣＣＤ(Charge Coupled Device)等からなる撮像ユニットが設けられている。そして、この撮像ユニットは、撮像レンズ３を通して取り込まれた画像をＣＣＤにより電気信号に変換し、映像データとして後述する記録再生ユニットや表示ユニット等に出力する。
【００２１】
また、レンズ部４ａの前方には、コンバージョンレンズやフィルタ等の光学付属部品が着脱可能となっており、このレンズ部４の内周面には、これら光学付属部品を取り付ける際の被係止部となるネジ溝（雌ネジ）５が形成されている。さらに、このレンズ部４には、後述する本発明を適用したレンズキャップ５０が着脱可能とされており、不使用時にレンズキャップ５０を装着することで、撮像レンズ３を保護することが可能となっている。なお、このデジタルビデオカメラ１を使用する際に取り外されたレンズキャップ５０は、紛失を防ぐため、本体部２に紐５１によってぶら下げられる。
【００２２】
本体部２の上面部には、夜間等にストロボを発光させるフラッシュ発光部６がポップアップ可能に設けられている。また、本体部２の上面部には、音声を収録するための音声収録ユニットとして、マイクロフォン等のステレオマイク７が設けられている。
【００２３】
本体部２の背面側には、上述した撮像ユニットにより撮像された画像を覗き見る電子ビューファインダ（ＥＶＦ）８が、本体部２に対して引き出し可能に設けられている。
【００２４】
本体部２の一側面には、ヒンジ機構９を介してパネル部１０が開閉可能に取り付けられている。このパネル部１０は、閉じた状態では、本体部２の側面を切り欠いて形成されたパネル収納部１１に収納され、開いた状態では、一主面側に設けられた液晶表示パネル（ＬＣＤ）によって、上述した背面側のビューファインダ８以外にも、撮像ユニットにより撮影された画像を表示することが可能となっている。また、このヒンジ機構９は、パネル部１０を本体部２に対して開閉方向に回動可能に支持すると共に、開閉方向と直交する軸回りに回動可能に支持している。これにより、パネル部１０は、開いた状態において、液晶表示パネルの向きを切り替えることが可能となっている。また、本体部２のパネル部１０の下方には、このデジタルビデオカメラ１の電源となるバッテリパック１２が着脱可能に取り付けられている。
【００２５】
本体部２の他側面には、この本体部２を把持するためのグリップベルト１３が取り付けられている。このグリップベルト１３には、当該グリップベルト１３を覆うソフトカバー１４と、レンズキャップ５０の紐５１を通すための通し孔１５ａが設けられたキャップ保持部材１５とが取り付けられている。また、このキャップ保持部材１５の通し孔１５ａには、一定の摺接抵抗を以て紐５１が挿通されている。したがって、取り外されたレンズキャップ５０が垂れ下がって邪魔とならないように、紐５１の先端を引っ張ることで、レンズキャップ５０をキャップ保持部材１５の手元に保持することが可能となっている。
【００２６】
また、本体部２の他側面には、蓋体が開閉可能に取り付けられており、その内側には、テープカセットを装着するためのカセット装着部が設けられている。そして、本体部２の内部には、上述した撮像ユニット及び音声収録ユニットからの映像信号及び音声信号等を記録・再生するための記録再生ユニットとして、テープカセット装着部に装着されたテープカセットの磁気テープに対して、信号の記録・再生を行う回転ヘッド装置や、複数のガイドローラにより引き回された磁気テープをピンチローラとキャップスタンとで挟み込みながら、この磁気テープを一定の速度で走行させるテープ走行機構等が設けられている。また、本体部２の各所には、各種操作を行うための操作ボタンやスイッチ等が設けられている。
【００２７】
次に、本発明を適用したレンズキャップ５０について説明する。
【００２８】
このレンズキャップ５０は、図３及び図４，図５及び図６，並びに図７に示すように、レンズ部４の前面を覆う略円盤状のキャップ本体５２と、このキャップ本体５２の外周部において互いに対向する位置から当該キャップ本体５２の中心部に向かってスライド可能に取り付けられた一対の可動部材５３ａ，５３ｂと、これら一対の可動部材５３ａ，５３ｂを互いに離間する方向に付勢する付勢手段となる圧縮コイルバネ５４とを備えている。
【００２９】
キャップ本体５２は、機械的強度を有する合成樹脂材料を射出成形してなる一組のケース部材５５とカバー部材５６とが組み合わされてなる。具体的に、ケース部材５５は、略円形状に形成された底面部５５ａと、この底面部５５ａの一主面側から外周縁部に沿って立上り形成された周壁５５ｂとを有している。このケース部材５５は、キャップ本体５２の背面側を構成するものであり、その外径は上記レンズ部４の内径よりも大きく、レンズ部４に装着された際に、他主面側がレンズ部４の前端部と当接されることになる。また、このケース部材５５の他主面側には、レンズ部４の内側に嵌め込まれる略円形状の嵌合部５７が突出形成されている。
【００３０】
一方、カバー部材５６は、キャップ本体５２の前面側を構成するものであり、略円形状に形成された底面部５６ａと、この底面部の一主面側から外周縁部に沿って立上り形成された周壁５６ｂとを有している。このカバー部材５６は、その内側にケース部材５５を嵌め込む（軽圧入する）ため、上記ケース部材５５の外径よりも僅かに大きくなるように設計されている。
【００３１】
また、カバー部材５６は、周壁５６ｂの内周面から深さ方向に亘って突出形成された位置決め突部５８と、周壁５６ｂの内周面から周方向に亘って突出形成された複数の係止突部５９とを有している。これに対して、ケース部材５５は、周壁５５ｂを深さ方向に切り欠く位置決め溝６０と、周壁５５ｂの外周面に周方向に亘って切り欠かれた複数の被係止溝６１とを有している。そして、このカバー部材５６の内側にケース部材５５を嵌め込んだとき、位置決め突部５８と位置決め溝６０との係合によりケース部材５５がカバー部材に対して位置決めされた状態で、複数の係止突部５９が複数の被係止溝６１に係止される。これにより、キャップ本体５２が構成されている。
【００３２】
また、キャップ本体５２の外周部には、一対の可動部材５３ａ，５３ｂを外部に臨ませるための一対の切欠き部６２ａ，６２ｂが形成されている。これら一対の切欠き部６２ａ，６２ｂは、後述する一対の可動部材５３ａ，５３ｂの可動範囲に対応して、外周部の互いに対向する位置から中心部に向かって所定の幅で切り欠かれている。
【００３３】
また、このキャップ本体５２には、上述したデジタルビデオカメラ１の本体部２にぶら下げられる紐５１が取り付けられている。具体的に、ケース部材５５は、周壁５５ｂを深さ方向に切り欠く溝部６３と、この溝部６３近傍の底面部５５ａから上方に向かって突出されたボス６４と、周壁５５ｂの溝部６３近傍から外側に向かって突出された突起部６５とを有している。これに対して、カバー部材５６は、周壁５６ｂを深さ方向に切り欠く溝部６６と、この溝部６６近傍の底面部５６ａから上方に向かって突出されたボス６７とを有し、このボス６７の中心部には、孔部６７ａが形成されている。そして、キャップ本体５２は、ケース部材５５とカバー部材５６とが組み合わされたとき、ケース部材５５側の溝部６３とカバー部材５６側の溝部６６とが一致した状態で、ケース部材５５側の突起部６５がカバー部材５６側の溝部６６と係合されると共に、カバー部材５６側のボス６７の孔部６７ａにケース部材５５側のボス６４が嵌合される。一方、紐５１は、カバー部材５６側のボス６７に引っ掛けられた状態で、溝部６３，６６を通してキャップ本体５２の外側へと引き延ばされている。これにより、紐５１がキャップ本体５２に取り付けられている。
【００３４】
一対の可動部材５３ａ，５３ｂは、互いに同一形状を有するものであり、キャップ本体５２と同一の合成樹脂材料を用いて射出成形することにより形成されている。具体的に、一対の可動部材５３ａ，５３ｂは、略矩形平板状の基体６８と、この基体６８の両端部から互いに平行に延長して設けられた一対の弾性変位片６９とを有し、一対の弾性変位片６９の先端部には、抜止め用のフック部７０が外側に向かって突出形成されている。一方、ケース部材５５の中央部分には、一対の可動部材５３ａ，５３ｂの弾性変位片６９を当該ケース部材５５の他主面側から外部に臨ませる一対の凹部７１が設けられており、これら一対の凹部７１には、それぞれケース部材５５の内部との間を貫通する一対の孔部７２と、これら一対の孔部７２を通して一対のフック部７０が係止される一対のストッパー部７３ａ，７３が設けられている。そして、一対の可動部材５３ａ，５３ｂは、一対の切欠き部６２ａ，６２ｂからキャップ本体５２の内部に挿入された状態で、一対の弾性変位片６９の先端に設けられたフック部７０が孔部７２を通して凹部７１内のストッパー部７３に係止されることによって、一対の切欠き部６２ａ，６２ｂからの抜けが防止されている。
【００３５】
また、一対の可動部材５３ａ，５３ｂには、基体６８の両側面から外側に向かって一対のガイド突部７４が突出形成されている。一方、ケース部材５５には、切欠き部６２ａ，６２ｂを形成する両側の内側面に沿って一対のガイド溝７５が形成されている。そして、一対の可動部材５３ａ，５３ｂは、これら一対のガイド突部７４が一対のガイド溝７５に係合されることによって、キャップ本体５２の中心部に向かってスライド可能に支持されている。
【００３６】
また、一対の可動部材５３ａ，５３ｂは、基体６８のケース部材５５と対向する主面に傾斜突部７６と、基体６８のカバー部材５６と対向する主面に傾斜凹部７７とを有している。このうち、傾斜突部７６は、外側から内側に向かって高くなる形状を有している。一方、傾斜凹部７７は、外側から内側に向かって深くなる形状を有している。これに対して、ケース部材５５の底面部には、一対の可動部材５３ａ，５３ｂの傾斜突部７６と当接される一対の傾斜突部７８が突出形成されている。これら一対の傾斜突部７８は、外側から内側に向かって低くなる形状を有している。一方、カバー部材５６の底面部には、一対の可動部材５３ａ，５３ｂの傾斜凹部７７に係合される一対の傾斜突部７９が突出形成されている。これら一対の傾斜突部７９は、外側から内側に向かって高くなる形状を有している。
【００３７】
また、一対の可動部材５３ａ，５３ｂは、キャップ本体５２がレンズ部４の内側に嵌め込まれた状態において、このレンズ部４の内側に嵌め込まれる嵌合部８０と、上述したレンズ部４のネジ溝５に係止される係止部であるロック爪８１と、このロック爪８１とネジ溝５との係止状態を解除するための摘み部８２とを有している。
【００３８】
嵌合部８０は、基体６８のケース部材５５側の主面から一対の可動部材５３ａ，５３ｂのスライド方向と直交する方向に突出形成されると共に、一対の可動部材５３ａ，５３ｂがキャップ本体５２の内側に押し込まれた際に、上述したケース部材５５の嵌合突部５７と連続した円形状の突部を形成するように、この嵌合突部５７の一対の切欠き部６２ａ，６２ｂによって切り欠かれた部分に対応した略円弧形状を有している。
【００３９】
ロック爪８１は、嵌合部８０の円弧状に湾曲した外周面からレンズ部４のネジ溝５に対応して等間隔に複数並んで突出形成されている。
【００４０】
摘み部８２は、指で摘んで操作される部分であり、内側に窪んだ形状を有している。レンズキャップ５０では、この摘み部８２を指で摘んで操作することで、一対の可動部材５３ａ，５３ｂの圧縮コイルバネ５４の付勢に抗して互いに近接する方向に押圧することが可能となっている。
【００４１】
圧縮コイルバネ５４は、キャップ本体５２の内部において一対の可動部材５３ａ，５３ｂの間に圧縮された状態で保持されている。具体的に、ケース部材５５の底面中央部には、この圧縮コイルバネ５４を保持するための一対の立上り壁８３が互い平行に立ち上がり形成されている。一方、一対の可動部材５３ａ，５３ｂは、この圧縮コイルバネ５４の両端部に挿通されるバネ受け突部８４を有しており、このバネ受け突部８４は、基体６８の一対の弾性変位片６９ａ，６９ｂの間から当該一対の弾性変位片６９ａ，６９ｂと同一方向に突出形成されている。そして、この圧縮コイルバネ５４は、ケース部材５５の一対の立上り壁８３の間に保持されると共に、その両端部に一対の可動部材５３ａ，５３ｂのバネ受け突部８４が挿通されることによって、一対の可動部材５３ａ，５３ｂの間に圧縮された状態で保持されている。これにより、圧縮コイルバネ５４は、一対の可動部材５３ａ，５３ｂを互いに離間する方向、すなわちキャップ本体５２の外側に向かって付勢することになる。
【００４２】
以上のように構成されるレンズキャップ５０をレンズ部４に装着する際は、先ず、図８に示すように、摘み部８２を指で摘んで操作し、圧縮コイルバネ５４の付勢に抗して一対の可動部材５３ａ，５３ｂを互いに近接する方向に押圧する。
【００４３】
このとき、一対の可動部材５３ａ，５３ｂがキャップ本体５２の中心部、すなわち一対の切欠き部６２ａ，６２ｂからキャップ本体５２の内側に向かって、図８中矢印Ａに示す方向にスライドすることで、基体６８の傾斜突部７６がケース部材５５の傾斜突部７６上を内側に向かってスライドし、カバー部材５６の傾斜突部７９が基体６８の傾斜凹部７７上を内側に向かってスライドする。これに伴って、一対の可動部材５３ａ，５３ｂがキャップ本体５２に対してレンズ部４に嵌め込まれる側へとシフトすることになる。
【００４４】
そして、この状態で、キャップ本体５２のケース部材５５側をレンズ部４の内側に嵌め込む。これにより、ケース部材５５の嵌合突部５７及び一対の可動部材５３ａ，５３ｂの嵌合部８０がレンズ部４の内側に嵌め込まれた状態となる。このとき、一対の可動部材５３ａ，５３ｂのロック爪８１は、それぞれレンズ部４のネジ溝５と略平行に対峙した状態となっている。
【００４５】
次に、図９に示すように、この状態から一対の可動部材５３ａ，５３ｂに対する押圧を解除する。すると、圧縮コイルバネ５４の弾性復帰に伴って、一対の可動部材５３ａ，５３ｂが互いに離間する方向、すなわち一対の切欠き部６２ａ，６２ｂからキャップ本体５２の外側に向かって図９中矢印Ｂに示す方向にスライドし、一対の可動部材５３ａ，５３ｂのロック爪８１がレンズ部４のネジ溝５に係止された状態となる。
【００４６】
また、これら一対の可動部材５３ａ，５３ｂがキャップ本体５２の外側に向かってスライドすることで、基体６８の傾斜突部７６がケース部材５５の傾斜突部７６上を外側に向かってスライドし、カバー部材５６の傾斜突部７９が基体６８の傾斜凹部７７上を外側に向かってスライドする。これに伴って、キャップ本体５２がレンズ部４に嵌め込まれる側へとシフトし、このキャップ本体５２のケース部材５５側がレンズ部４の前端部に当接された状態となる。以上のようして、このレンズキャップ５０をレンズ部４に確実に装着することができる。
【００４７】
以上のように、このレンズキャップ５０では、図８に示すように、一対の可動部材５３ａ，５３ｂを互いに近接する方向に押圧し、一対の可動部材５３，５３をキャップ本体５２の中心部に向かってスライドさせるとき、キャップ本体５２に対して一対の可動部材５３ａ，５３ｂがレンズ部４に嵌め込まれる側へとシフトする。そして、この状態からレンズキャップ５０をレンズ部４に嵌め込んだ後に、図９に示すように、一対の可動部材５３ａ，５３ｂに対する押圧を解除することによって、一対の可動部材５３ａ，５３ｂのロック爪８１がレンズ部４のネジ溝５に係止されると共に、キャップ本体５２がレンズ部４に嵌め込まれる側へとシフトし、このキャップ本体５２がレンズ部４の前端部に当接された状態となる。
【００４８】
したがって、このレンズキャップ５０を備えるデジタルビデオカメラ１では、従来と変わらない操作で、レンズキャップ５０とレンズ部４の前端部との間に隙間を生じさせることなく、レンズキャップ５０をレンズ部４に確実に装着することが可能である。また、このデジタルビデオカメラ１では、レンズ部４に対するレンズキャップ５０の装着性が向上することで、その高級感を増すことになる。また、このデジタルビデオカメラ１では、レンズキャップ５０とレンズ部４との間から塵埃等が侵入することを防止することが可能であり、撮像レンズ３を適切に保護することが可能である。
【００４９】
なお、本発明は、一対の可動部材５３ａ，５３ｂをキャップ本体５２の中心部に向かってスライドさせるとき、このキャップ本体５２に対して一対の可動部材５３ａ，５３ｂをレンズ部４に嵌め込まれる側へとシフトさせるガイド手段を備えるものであれば、上述した基体６８の傾斜突部７６がケース部材５５の傾斜突部７６上をスライドし、カバー部材５６の傾斜突部７９が基体６８の傾斜凹部７７上をスライドする構成に必ずしも限定されるものではない。例えば、このような傾斜突部や傾斜凹部の配置や数、勾配等について任意に変更することが可能である。
【００５０】
また、例えば図１０に示す変形例のように、一対の可動部材５３ａ，５３ｂ側に設けられたガイドピン８５が、キャップ本体５２側に設けられたガイドスリット８６に係合されることによって、キャップ本体５２に対して一対の可動部材５３ａ，５３ｂがレンズ部４に嵌め込まれる側へとシフトする構成であってもよい。
【００５１】
この場合も、従来と変わらない操作で、レンズキャップ５０とレンズ部４の前端部との間に隙間を生じさせることなく、レンズキャップ５０をレンズ部４に確実に装着することが可能である。なお、本発明は、上記変形例とは逆の構成、すなわち一対の可動部材５３ａ，５３ｂ側にガイドスリット８６を設け、キャップ本体５２側にガイドピン８５を設けた構成であってもよい。
【産業上の利用可能性】
【００５２】
なお、本発明は、上述したデジタルビデオカメラ１に装着されるレンズキャップ５０に限定されず、例えばカメラ等の撮像装置や、望遠鏡、双眼鏡等の光学機器のように、レンズキャップが装着可能なものに対して広く適用可能である。
【図面の簡単な説明】
【００５３】
【図１】本発明を適用したレンズキャップが装着された撮像装置を示す斜視図である。
【図２】上記レンズキャップが取り外された撮像装置を示す斜視図である。
【図３】上記レンズキャップを表側から見た斜視図である。
【図４】上記レンズキャップを裏側から見た斜視図である。
【図５】上記レンズキャップの構成を表側から見た分解斜視図である。
【図６】上記レンズキャップの構成を裏側から見た分解斜視図である。
【図７】上記レンズキャップ及びレンズ部の構成を示す断面図である。
【図８】上記レンズキャップのレンズ部に対する装着動作を説明するための図であり、レンズキャップがレンズ部に嵌め込まれた状態を示す断面図である。
【図９】上記レンズキャップのレンズ部に対する装着動作を説明するための図であり、レンズキャップがレンズ部に装着された状態を示す断面図である。
【図１０】上記レンズキャップの変形例を示す断面図である。
【図１１】従来のレンズキャップの構成を表側から見た分解斜視図である。
【図１２】上記従来のレンズキャップの構成を裏側から見た分解斜視図である。
【図１３】上記従来のレンズキャップ及びレンズ部の構成を示す断面図である。
【図１４】上記従来のレンズキャップのレンズ部に対する装着動作を説明するための図であり、レンズキャップがレンズ部に嵌め込まれた状態を示す断面図である。
【図１５】上記従来のレンズキャップのレンズ部に対する装着動作を説明するための図であり、レンズキャップがレンズ部に装着された状態を示す断面図である。
【符号の説明】
【００５４】
１  デジタルビデオカメラ、  ２  本体部、  ４  レンズ部、  ５  ネジ溝、  ５０  レンズキャップ、  ５２  キャップ本体、  ５３ａ，５３ｂ  一対の可動部材、５４  圧縮コイルバネ、  ５５  ケース部材、  ５６  カバー部材、８１  ロック爪
【図１】
2005114874.tif 000003
【図２】
2005114874.tif 000004
【図３】
2005114874.tif 000005
【図４】
2005114874.tif 000006
【図５】
2005114874.tif 000007
【図６】
2005114874.tif 000008
【図７】
2005114874.tif 000009
【図８】
2005114874.tif 000010
【図９】
2005114874.tif 000011
【図１０】
2005114874.tif 000012
【図１１】
2005114874.tif 000013
【図１２】
2005114874.tif 000014
【図１３】
2005114874.tif 000015
【図１４】
2005114874.tif 000016
【図１５】
2005114874.tif 000017